【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
ランダム性と高エントロピーをもつコピー検出パターンを含んでいるアナログ形がオリジナルアナログ形であるかどうかを判定する方法であって：
前記コピー検出パターンをスキャンしてそのデジタル表現を生成し、
スキャンされたコピー検出パターンのデジタル表現の一組のグローバル属性のうちの少なくとも一つを、前記コピー検出パターンの、該コピー検出パターンのランダム性および高エントロピーに依存する所定の属性と比較することにより、当該アナログ形が前記オリジナルアナログ形であるかどうかの少なくとも予備的な判定をする、
動作を含むことを特徴とする方法。
【請求項２】
前記一組のグローバル属性が、ヒストグラム分布、平均輝度、２つの隣接ピクセルの間の変化の平均的な度合い、および白黒ピクセルの密度分布のうちの少なくとも一つを含むことを特徴とする、請求項１記載の方法。
【請求項３】
請求項１記載の方法であって、前記予備的な判定が前記アナログ形が前記オリジナルアナログ形ではないかもしれないという判定をしたときに、前記スキャンされたコピー検出パターンを前記コピー検出パターンのオリジナルデジタル表現と比較することをさらに含むことを特徴とする方法。
【請求項４】
プロセッサによって実行されたときに請求項１記載の方法を実行するコードを含むことを特徴とする記憶装置。
【請求項５】
ランダム性と高エントロピーをもつコピー検出パターンを含んでいるアナログ形がオリジナルアナログ形であるかどうかを判定する装置であって：
当該装置にとってアクセス可能なメモリを有しており、前記メモリは前記コピー検出パターンをスキャンすることによって生成されたデジタル表現を含んでおり、プロセッサが、スキャンされたコピー検出パターンのデジタル表現の一組のグローバル属性のうちの少なくとも一つを、前記コピー検出パターンの、該コピー検出パターンのランダム性および高エントロピーに依存する所定の属性と比較することにより、当該アナログ形が前記オリジナルアナログ形であるかどうかの少なくとも予備的な判定をする、ことを特徴とする装置。
【請求項６】
前記一組のグローバル属性が、ヒストグラム分布、平均輝度、２つの隣接ピクセルの間の変化の平均的な度合い、および白黒ピクセルの密度分布を含むことを特徴とする、請求項５記載の装置。
【請求項７】
請求項５記載の装置であって、前記予備的な判定が前記アナログ形が前記オリジナルアナログ形ではないかもしれないという判定をしたときに、当該装置がさらに、前記スキャンされたコピー検出パターンを前記コピー検出パターンのオリジナルデジタル表現と比較することを特徴とする装置。
【請求項８】
記憶装置であって、
該記憶装置に対するアクセスを有する装置によって実行されたときに請求項５記載の装置を実装するコードを含むことを特徴とする記憶装置。
【請求項９】
デジタル表現の、該デジタル表現に適用されるコピー処理によってもたらされる改変に敏感なコピー検出部分を使って、該デジタル表現のある所与のデジタル表現に関するコピー関係を判定する方法であって：
前記コピー処理によってもたらされる改変を取り入れるよう前記コピー検出部分のうちのあるコピー検出部分を修正し、それによりコピー関係を判定する目的のために修正されたコピー検出部分を別のコピー検出部分と比較しやすくし、ここで、前記修正されたコピー検出部分および前記別のコピー検出部分の一方または他方は前記所与のデジタル表現に属しており、
前記修正されたコピー検出部分と前記別のコピー検出部分とを比較し、該比較の結果を用いることによってコピー関係を判定する、
ことを含むことを特徴とする方法。
【請求項１０】
前記所与のデジタル表現が前記コピー処理によって生成された非オリジナルデジタル表現であることを特徴とする、請求項９記載の方法。
【請求項１１】
前記所与のデジタル表現がオリジナルデジタル表現であることを特徴とする、請求項９記載の方法。
【請求項１２】
前記修正する動作が変換関数によって実行されることを特徴とする、請求項９記載の方法。
【請求項１３】
前記コピー検出部分と前記別のコピー検出部分との比較が両者の間の距離を測定することによって行われ、当該方法がさらに、前記コピー検出部分と前記別のコピー検出部分とのピクセルの間の標準偏差を測定してその標準偏差を前記距離の測定における規格化因子として使用することを含むことを特徴とする、請求項１２記載の方法。
【請求項１４】
前記コピー検出部分と前記別のコピー検出部分との比較が両者の間の距離を測定することによって行われ、当該方法がさらに：
前記コピー検出部分における各ピクセルの輝度についての上限および下限を設定し、
輝度が前記設定された限界の外側にあるピクセルについての輝度を上げる、
ことを含んでいることを特徴とする、請求項１２記載の方法。
【請求項１５】
請求項１２記載の方法であって、前記変換関数が複数あり、前記修正動作が該複数の変換関数のそれぞれについて実行され、前記比較動作がさらに、コピー関係を判定するために前記変換関数のうちの一つによって生成された修正コピー検出部分を選択することを含むことを特徴とする方法。
【請求項１６】
前記選択動作が、前記別のコピー検出部分への距離が最小である修正コピー検出部分を選択することを特徴とする、請求項１５記載の方法。
【請求項１７】
前記変換関数を較正することをさらに含むことを特徴とする、請求項１２記載の方法。
【請求項１８】
前記較正動作が、コピー処理によってもたらされる改変に敏感なコピー検出部分の２組のデジタル画像を用い、第一の組はデジタル較正画像に属するものであり、第二の組は前記第一の組の印刷、コピーおよびスキャンによって作成されたものであることを特徴とする、請求項１７記載の方法。
【請求項１９】
請求項１７記載の方法であって、前記コピー検出部分が前記変換関数のための較正情報を含んでおり、当該方法がさらに：
前記コピー検出部分から前記較正情報を取得し、
前記変換関数を較正する際に前記取得された較正情報を使用する、
ことを含むことを特徴とする方法。
【請求項２０】
前記較正動作が、コピー関係が判定されるたびに、コピーであると信じられているデジタル表現を使って実行されることを特徴とする、請求項１８記載の方法。
【請求項２１】
前記変換関数が、前記コピー検出部分のうちの一つのヒストグラムに基づいていることを特徴とする、請求項１２記載の方法。
【請求項２２】
前記変換関数が、前記コピー検出部分と前記別のコピー検出部分とのうちの一つの平均輝度に基づいていることを特徴とする、請求項１２記載の方法。
【請求項２３】
請求項１２記載の方法であって、平均輝度に基づく変換関数およびヒストグラムに基づく変換関数を含む複数の変換関数があり、前記修正動作において、ヒストグラムに基づく変換関数が適用される前に平均輝度に基づく変換関数が適用されることを特徴とする方法。
【請求項２４】
記憶装置であって：
該記憶装置へのアクセスを有する装置によって実行されたときに請求項９記載の方法を実施するコードを含むことを特徴とする記憶装置。
【請求項２５】
請求項９記載の、デジタル表現のコピー検出部分を使ってコピー関係を判定する方法であって、前記コピー検出部分の対応する区分どうしが比較され、
前記区分の比較の結果が集積され、
前記集積された結果からコピー関係が判定されることを特徴とする方法。
【請求項２６】
請求項２５記載のコピー関係を判定する方法であって、前記集積動作において、コピー関係を示さなそうな前記区分のあるものについての結果は含められないことを特徴とする方法。